(57)【要約】【課題】  外蓋を離脱する際に、係止壁に形成されている係止突条が偶発的に被係止突条を乗り越えてその上方に移動し、これによって閉塞壁のその他の部分から分離された除去領域が外蓋と共に離脱されることなく中栓上に残留してしまうことが充分確実に防止される、新規の容器蓋を提供すること。【解決手段】  外蓋を螺着した状態において係止壁に配設されている係止突条が被係止壁に配設されている被係止突条に対して間隔をおいて下方に位置するようにする。【選択図】  図５
2019051959.tif 000002
【特許請求の範囲】
【請求項１】
容器の口頸部に装着される合成樹脂製中栓、及び該中栓又は該口頸部に離脱自在に螺着される合成樹脂製外蓋を具備し、
該中栓は破断可能薄肉ラインによって規定された除去領域を有する閉塞壁を含み、該閉塞壁の該除去領域には上方に延出する円筒形被係止壁が形成されており、該被係止壁の外周面又は内周面には、周方向に間隔をおいて複数個のラチェット爪が配設されていると共に、該ラチェット爪よりも上方に位置する被係止突条、及び該ラチェット爪よりも上方であって且つ該被係止突条よりも下方に位置する補助被係止突条が配設され、
該外蓋は天面壁と該天面壁の内面中央部から垂下する円筒形係止壁とを含み、該係止壁の内周面又は外周面には、周方向に間隔をおいて複数個のラチェット部が配設されていると共に、該ラチェット部よりも上方に位置する係止突条が配設されており、
該外蓋を螺着した状態においては、該外蓋の該係止突条は該中栓の該被係止突条よりも下方であって且つ該補助被係止突条よりも上方に位置し、
該外蓋が離脱される際には、該外蓋が開回転方向に回転され、最初に、該係止壁に配設された該ラチェット部が該被係止壁に配設された該ラチェット爪に係止して該破断可能薄肉ラインに応力が生成されて該破断可能薄肉ラインが破断され、しかる後に、該係止壁に配設されている該係止突条が該被係止壁に配設されている該被係止突条に係止しこれによって該除去領域が該外蓋と共に上昇され、
該外蓋が再螺着される際には、該外蓋に対して該除去領域が上方に変位されて、該外蓋の該係止壁に配設されている該係止突条が該中栓の該被係止壁に配設されている該補助被係止突条の下方に係止する容器蓋において、
該外蓋を螺着した状態においては、該係止壁に配設されている該係止突条は該被係止壁に配設されている該被係止突条に対して間隔をおいて下方に位置する、
ことを特徴とする容器蓋。
【請求項２】
該外蓋を螺着した状態においては、該係止壁に配設されている該係止突条は該被係止壁に配設されている該被係止突条よりも該補助被係止突条に近接して位置している、請求項１記載の容器蓋。
【請求項３】
該中栓の該閉塞壁の下面には、該破断可能薄肉ラインの半径方向内側において該閉塞壁の下面に接続された基端から半径方向外方に向かって下方に傾斜して延出し、延出端は半径方向において該破断可能薄肉ラインよりも外方に位置する環状シール片が形成されており、該外蓋が離脱される際には該シール片は弾性的に撓んで該その他の部分より上方に移動し、該外蓋が再螺着される際には該シール片が該閉塞壁の該その他の部分の上面に当接して該除去領域の下方への移動が阻止される、請求項１又は２記載の容器蓋。
【請求項４】
該係止壁の内周面又は外周面の上部には、周方向に間隔をおいて複数個のリブが配設されており、該係止壁に配設されている該係止突条が該被係止壁に配設されている該補助被係止突条の下方に係止すると、該被係止壁の外周面又は内周面の上部が該リブに当接乃至近接される、請求項１乃至３のいずれか記載の容器蓋。
【請求項５】
該係止壁に配設されている該係止突条が該被係止壁に配設されている該補助被係止突条の下方に係止すると、該被係止壁に配設されている該被係止突条が該リブの下端面に当接される、請求項４記載の容器蓋。
【発明の詳細な説明】
【技術分野】
【０００１】
本発明は、容器の口頸部に装着される合成樹脂製中栓、及びこの中栓又は口頸部に離脱自在に螺着される合成樹脂製外蓋を具備する容器蓋に関する。
【背景技術】
【０００２】
下記特許文献１には、容器の口頸部に装着される合成樹脂製中栓、及びこの中栓又は口頸部に離脱自在に螺着される合成樹脂製外蓋を具備する容器蓋が開示されている。中栓は破断可能薄肉ラインによって規定された除去領域を有する閉塞壁を含んでいる。閉塞壁の除去領域には上方に延出する円筒形被係止壁が形成されている。この被係止壁の外周面には、周方向に間隔をおいて複数個のラチェット爪が配設されていると共に、ラチェット爪よりも上方に位置する被係止突条が配設されている。外蓋は天面壁と天面壁の内面中央部から垂下する円筒形係止壁とを含んでいる。この係止壁の内周面には、周方向に間隔をおいて複数個のラチェット部が配設されていると共に、ラチェット部よりも上方に位置する係止突条が配設されている。外蓋が離脱される際には、外蓋が開回転方向に回転され、最初に、係止壁に配設されたラチェット部が被係止壁に配設されたラチェット爪に係止して破断可能薄肉ラインに応力が生成されて破断可能薄肉ラインが破断されて除去領域が閉塞壁のその他の部分から分離され、しかる後に、係止壁に配設されている係止突条が被係止壁に配設されている被係止突条に係止しこれによって除去領域が外蓋と共に上昇される。
【０００３】
下記特許文献２には、中栓の被係止壁におけるラチェット爪よりも上方であって且つ被係止突条よりも下方の部位に補助被係止突条を配設し、外蓋を螺着した状態においては、外蓋の係止突条は中栓の被係止突条よりも下方であって且つ補助被係止突条よりも上方に位置する。そして、中栓又は口頸部から離脱された外蓋が中栓又は口頸部に再螺着される際には、外蓋に対して除去領域が上方に変位されて、外蓋の係止壁に配設されている係止突条が中栓の被係止壁に配設されている補助被係止突条の下方に係止するように構成された容器蓋が開示されている。かような構成を備えた容器蓋においては、中栓又は口頸部に外蓋を再螺着すると、係止壁の係止突条よりも上方において、被係止壁の上下方向に間隔をおいて配設されている２個の突条、即ち被係止突条と補助被係止突条が係止壁に対向して位置し、これによって除去領域の傾動が防止される。
【先行技術文献】
【特許文献】
【０００４】
【特許文献１】特開２０１３−４３６９１号公報
【特許文献２】特開２０１７−１３７０９２号公報
【発明の概要】
【発明が解決しようとする課題】
【０００５】
特許文献１に記載の容器蓋には、中栓又は口頸部から離脱した外蓋を中栓又は口頸部に再螺着した際に、外蓋に対して除去領域が上方に変位して被係止突条と係止突条との係止が解除されて除去領域の拘束が不充分になり、外蓋に対して除去領域が傾動してしまう傾向がある。そして、外蓋に対して除去領域が傾動してしまうと、中栓又は口頸部から外蓋を再び離脱する際に除去領域が外蓋から偶発的に脱落してしまうことがある。除去領域が外蓋から脱落してしまうと、外蓋を中栓又は口頸部に再装着した時に除去領域による閉塞壁に生成された排出開口の仮密封が不可能となる。
【０００６】
特許文献２に記載の容器蓋は、外蓋を中栓又は容器の口頸部から離脱する際に、係止壁に形成されている係止突条が偶発的に被係止突条を乗り越えてその上方に移動し、従って閉塞壁のその他の部分から分離された除去領域が外蓋と共に離脱されることなく中栓上に残留してしまうことがある。更に詳述すると、容器の口頸部に装着される合成樹脂製中栓と中栓又は容器の口頸部に螺着される合成樹脂製外蓋とを具備し、中栓は破断可能薄肉ラインによって規定された除去領域を有する閉塞壁を含み、外蓋を中栓又は容器の口頸部から離脱する際には破断可能薄肉ラインが破断されて除去領域が閉塞壁のその他の部分から分離される容器蓋として、特許第５１５９６１４号公報に記載されているとおり、容器の口頸部を開封する際には、外蓋を開回転方向に回転するのに先立って外蓋を一旦閉回転方向に回転し、これによって破断可能薄肉ラインを破断すると共に閉塞壁のその他の部分から分離された除去領域を外蓋に連結し、しかる後に外蓋を開回転方向に回転して外蓋及び除去領域を容器の口頸部及び中栓から離脱する形態の容器蓋が広く実用に供されている。それ故に、消費者によっては、容器の口頸部を開封する際に、最初に閉回転方向に回転することが必要でなく、外蓋を直接的に開回転方向に回転すればよい、本発明者等が提案した上記のとおりの容器蓋についても、最初に外蓋を閉回転方向に回転してしまうことがある。上記した特許文献２に記載の容器蓋において、容器の口頸部を開封する際に、最初に外蓋を閉回転方向に回転すると、係止壁に配設されているラチェット部が被係止壁に配設されているラチェット爪に乗り上げ、これに起因して係止壁或いは被係止壁が傾動する。かような傾動は外蓋が開回転方向に回動されて係止壁に配設されているラチェット部が被係止壁に配設されているラチェット爪から離隔しても瞬時に解消されことなく、傾動が解消されるまでには若干の時間を要する。それ故に、係止壁に配設されているラチェット部が被係止壁に配設されているラチェット爪に係止して破断可能薄肉ラインが破断されて除去領域が閉塞壁のその他の部分から分離されるときに、既に係止壁に配設されている係止突条が被係止壁に配設されている被係止突条を乗り越えてこれの上方に移動してしまう場合がある。かかる事実に加えて、外蓋の上昇によって係止突条が被係止突条に作用し始める時には、破断可能薄肉ラインは未だ破断されておらず、従って除去領域は外蓋の上昇に付随して自由に上昇することができず、それ故に係止突条が偶発的に被係止突条を乗り越えて上昇してしまう。
【０００７】
本発明は上記事実に鑑みてなされたものであり、その主たる技術的課題は、外蓋を中栓又は容器の口頸部から離脱する際に、係止壁に形成されている係止突条が偶発的に被係止突条を乗り越えてその上方に移動し、これによって閉塞壁のその他の部分から分離された除去領域が外蓋と共に離脱されることなく中栓上に残留してしまうことが充分確実に防止される、新規且つ改良された容器蓋を提供することである。
【課題を解決するための手段】
【０００８】
本発明者等は、鋭意検討及び実験の結果、中栓又は口頸部に外蓋を螺着した状態において、係止壁に配設されている係止突条が被係止壁に配設されている被係止突条に対して間隔をおいて下方に位置するように構成することによって、上記主たる技術的課題を達成することができることを見出した。
【０００９】
即ち、本発明によれば、上記主たる技術的課題を達成する容器蓋として、容器の口頸部に装着される合成樹脂製中栓、及び該中栓又は該口頸部に離脱自在に螺着される合成樹脂製外蓋を具備し、
該中栓は破断可能薄肉ラインによって規定された除去領域を有する閉塞壁を含み、該閉塞壁の該除去領域には上方に延出する円筒形被係止壁が形成されており、該被係止壁の外周面又は内周面には、周方向に間隔をおいて複数個のラチェット爪が配設されていると共に、該ラチェット爪よりも上方に位置する被係止突条、及び該ラチェット爪よりも上方であって且つ該被係止突条よりも下方に位置する補助被係止突条が配設され、
該外蓋は天面壁と該天面壁の内面中央部から垂下する円筒形係止壁とを含み、該係止壁の内周面又は外周面には、周方向に間隔をおいて複数個のラチェット部が配設されていると共に、該ラチェット部よりも上方に位置する係止突条が配設されており、
該外蓋を螺着した状態においては、該外蓋の該係止突条は該中栓の該被係止突条よりも下方であって且つ該補助被係止突条よりも上方に位置し、
該外蓋が離脱される際には、該外蓋が開回転方向に回転され、最初に、該係止壁に配設された該ラチェット部が該被係止壁に配設された該ラチェット爪に係止して該破断可能薄肉ラインに応力が生成されて該破断可能薄肉ラインが破断され、しかる後に、該係止壁に配設されている該係止突条が該被係止壁に配設されている該被係止突条に係止しこれによって該除去領域が該外蓋と共に上昇され、
該外蓋が再螺着される際には、該外蓋に対して該除去領域が上方に変位されて、該外蓋の該係止壁に配設されている該係止突条が該中栓の該被係止壁に配設されている該補助被係止突条の下方に係止する容器蓋において、
該外蓋を螺着した状態においては、該係止壁に配設されている該係止突条は該被係止壁に配設されている該被係止突条に対して間隔をおいて下方に位置する、
ことを特徴とする容器蓋が提供される。
【００１０】
好ましくは、外蓋を螺着した状態においては、該係止壁に配設されている該係止突条は該被係止壁に配設されている該被係止突条よりも該補助被係止突条に近接して位置している。好適には、該中栓の該閉塞壁の下面には、該破断可能薄肉ラインの半径方向内側において該閉塞壁の下面に接続された基端から半径方向外方に向かって下方に傾斜して延出し、延出端は半径方向において該破断可能薄肉ラインよりも外方に位置する環状シール片が形成されており、該外蓋が離脱される際には該シール片は弾性的に撓んで該その他の部分より上方に移動し、該外蓋が再螺着される際には該シール片が該閉塞壁の該その他の部分の上面に当接して該除去領域の下方への移動が阻止される。該係止壁の内周面又は外周面の上部には、周方向に間隔をおいて複数個のリブが配設されており、該係止壁に配設されている該係止突条が該被係止壁に配設されている該補助被係止突条の下方に係止すると、該被係止壁の外周面又は内周面の上部が該リブに当接乃至近接されるのが好適であり、該係止壁に配設されている該係止突条が該被係止壁に配設されている該補助被係止突条の下方に係止すると、該被係止壁に配設されている該被係止突条が該リブの下端面に当接されるのが特に好適である。
【発明の効果】
【００１１】
本発明の容器蓋においては、中栓又は口頸部に外蓋を螺着した状態において、係止壁に配設されている係止突条が被係止壁に配設されている被係止突条に対して間隔をおいて下方に位置する。従って、外蓋を開回転方向に回転して、ラチェット部がラチェット爪に係止する際には係止突条は被係止突条よりも下方に位置し、係止突条が被係止突条に作用する際には破断可能薄肉ラインが破断されているため、外蓋を中栓又は容器の口頸部から離脱する際に、係止壁に形成されている係止突条が偶発的に被係止突条を乗り越えてその上方に移動し、これによって閉塞壁のその他の部分から分離された除去領域が外蓋と共に離脱されることなく中栓上に残留してしまうことが充分確実に防止される。それ故に、例えば、口頸部を開封する際に、外蓋を一旦閉方向に回転してラチェット部がラチェット爪を乗り上げ係止壁又は被係止壁が傾動した状態で開方向へ回転せしめても、上記傾動が解消されるより先に係止突条が被係止突条を乗り越えてこれの上方に移動することはない。
【図面の簡単な説明】
【００１２】
【図１】本発明に従って構成された合成樹脂製容器蓋の好適実施形態を容器の口頸部に装着した状態において、一部を断面で示す正面図。
【図２】図１に示す合成樹脂製容器蓋における中栓の正面図。
【図３】図１に示す合成樹脂製容器蓋における中栓の断面図。
【図４】図１に示す合成樹脂製容器蓋における中栓の平面図。
【図５】図１に示す合成樹脂製容器蓋における中栓の底面図。
【図６】図１に示す合成樹脂製容器蓋における中栓において移行領域を正面として示す側面図。
【図７】図４及び図５においてＡで示す角度位置における部分断面図。
【図８】図４及び図５においてＢで示す角度位置における部分断面図。
【図９】図４及び図５においてＣで示す角度位置における部分断面図。
【図１０】図４及び図５においてＤで示す角度位置における部分断面図。
【図１１】図４及び図５においてＥで示す角度位置における部分断面図。
【図１２】図４及び図５においてＦで示す角度位置における部分断面図。
【図１３】図４及び図５においてＧで示す角度位置における部分断面図。
【図１４】図１に示す合成樹脂製容器蓋における中栓に形成された弱化ラインを示す部分簡略図。
【図１５】図１に示す合成樹脂製容器蓋における外蓋の断面図。
【図１６】図１に示す合成樹脂製容器蓋における外蓋の底面図。
【図１７】図１に示す状態において外蓋を中栓から離脱せしめた後に中栓に再装着した状態を示す断面図。
【発明を実施するための形態】
【００１３】
以下、本発明に従って構成された容器蓋の好適実施形態を図示している添付図面を参照して、更に詳細に説明する。
【００１４】
図１を参照して説明すると、本発明に従って構成された、全体を番号２で示す容器蓋は中栓４及び外蓋６から構成されている。中栓４はポリエチレンの如き比較的軟質合成樹脂から射出成型することができ、外蓋６は高密度ポリエチレン又はポリプロピレンの如き比較的硬質合成樹脂から射出成形することができる。
【００１５】
主に図３及び図４を参照して説明すると、中栓４は閉塞壁８を含む。閉塞壁８の中央部位には破断可能薄肉ライン１０によって円形の除去領域１２が規定されている。除去領域１２の上面外周縁部には、上方に延出する円筒形被係止壁１６が形成されている。被係止壁１６の外周面の下端部には、周方向に間隔をおいて複数個、図示の実施形態においては６個、のラチェット爪１８が配設されていると共に、ラチェット爪１８よりも上方に位置する被係止突条２０が配設されている。ラチェット爪１８の、図４における時計方向側面は被係止壁１６の外周面から半径方向外方に向かって鋭く切り立ち、図４における反時計方向側面は被係止壁１６の外周面から半径方向外方に向かって緩やかに延びている。被係止突条２０は被係止壁１６の軸線方向上端部に位置し、周方向に連続して環状をなしている。被係止突条２０の軸線方向位置については後に更に言及する。そして、被係止壁１６における被係止突条２０よりも下方の部位には、補助被係止突条２８が配設されている。図示の実施形態においては、補助被係止突条２８は、被係止壁１６の外周面の軸線方向略中央部であって軸線方向に見てラチェット爪１８の上端よりも幾分上方に位置し、周方向に連続して環状をなしている。閉塞壁８の除去領域１２の上面中央には、上方に延びる断面円形の棒状中央柱３０も配設されている。一方、除去領域１２よりも半径方向外側における閉塞壁８の上面には、半径方向内側に位置する円筒形注出壁３２と、半径方向外側に位置する円筒形装着壁３４とが形成されている。注出壁３２は、軸線方向において被係止壁１６及び中央柱３０を超えて上方に延び、上端部は半径方向外側に向かってリップ形状にせしめられている。装着壁３４は軸線方向において被係止壁１６よりも低く、外周面には雄螺条３６が形成されている。
【００１６】
主に図３及び図５を参照して説明すると、閉塞壁８の除去領域１２の下面には、破断可能ライン１０の半径方向内側において閉塞壁８の下面に接続された基端から半径方向外方に向かって下方に傾斜して延出し、延出端は半径方向において破断可能ライン１０よりも外方に位置する環状シール片３８が形成されている。シール片３８は比較的肉薄であり弾性的に変形することが可能である。閉塞壁８の除去領域１２の下面には更に、第一の回転阻止片４０が周方向に等角度間隔をおいて４個形成されている。第一の回転阻止片４０は閉塞壁８の下面から下方に延びると共に被係止壁１６の内周面に形成されている。一方、除去領域１２よりも半径方向外側における閉塞壁８の下面には、その外周縁において下方に垂下する円筒形側壁４２が設けられている。側壁４２については後に言及する。除去領域１２よりも半径方向外側における閉塞壁８の下面には更に、側壁４２よりも半径方向内側において下方に延出する円筒形状シール壁４４と、シール壁４４よりも内側において下方に僅かに突出する環状小突条４６と、小突条４６よりも内側に位置する第二の回転阻止片４８が設けられている。第二の回転阻止片４８は周方向に等角度間隔をおいて４個形成されており、第二の回転阻止片４８は閉塞壁８の下面から下方に延びると共に装着壁３４の内面に形成されている。第二の回転阻止片４８は第一の回転阻止片４０と共に、中栓４に外蓋６を装着する際に所定の治具と協働して外蓋６に対する中栓４の回転を規制することを可能とする。
【００１７】
側壁４２の下端部における周方向所定領域には矩形状の切欠き５０が設けられている（図１０、図１１、及び図１４も参照されたい）。側壁４２の内周面には周方向に延在する係止手段５２が形成されている。図示の実施形態においては、係止手段５２は、周方向に間隔をおいて複数設けられた、周方向に延びる突条である。係止手段５２は後述する薄肉部が形成されている部分には存在しない（図１０、図１１、及び図１４も参照されたい）。所望ならば、係止手段５２は周方向に連続して延びる１個の突条又は周方向に間隔をおいて複数設けられたフラップ片であってもよいが、いずれの場合であっても上記したとおり後述する薄肉部が形成されている部分には存在しない。一方、側壁４２の外周面の上端部には、被係止片５４と、この被係止片５４よりも軸線方向に見て下方に位置する被係合片５６とが配設されている。被係止片５４は、断面が半径方向外方に突出すると共に周方向に延在する突条であり、周方向に等角度間隔をおいて４個配設されている。被係合片５６は、ラチェット爪１８と同様のラチェット片であり、周方向に間隔をおいて６個配設されている。後述する側壁分離領域と非分離領域との境界に位置する被係合片５６ａは後述する破断可能薄肉接続壁に連接されているが（図２及び図１３も参照されたい）、被係合片５６ａを除くその他の被係合片５６は破断可能薄肉接続壁に連接されておらず、これよりも上方に離隔している。側壁４２のさらに半径方向外側であって、軸線方向において被係合片５６よりも軸線方向に見て下方には、円筒状の囲繞壁５８が設けられている。囲繞壁５８と側壁４２との接続については後に言及する。
【００１８】
図４及び図５を参照して説明すると、中栓４には、上方から見て反時計方向（矢印Ｘで示す方向）に順次に囲繞壁分離領域６０、移行領域６２、側壁分離領域６４、及び非分離領域６６が配置されている。囲繞壁分離領域６０は２０乃至１８０度、移行領域６２は１０乃至４５度、側壁分離領域６４は９０乃至２７０度、非分離領域６６は４５乃至１８０度の角度範囲に渡って夫々存在するのがよく、図示の実施形態においては、囲繞壁分離領域６０は８０度、移行領域６２は１５度、側壁分離領域６４は１７０度、非分離領域６６は９５度の角度範囲に渡って夫々存在している。
【００１９】
主に図５と共に図７乃至図１１を参照して説明すると、囲繞壁分離領域６０においては、囲繞壁５８の上端は周方向に間隔をおいて配設された複数個の破断可能接続片６８及び周方向に連続して延在する破断可能薄肉接続壁７０を介して側壁４２に接続されている（図７乃至９を参照されたい）。囲繞壁５８の内周面には、周方向において隣接する接続片６８の間において、軸方向全体に亘って連続して延びるリブ７２が形成されている（図５及び図９を参照されたい）。囲繞壁分離領域６０と被分離領域６６との境界部における囲繞壁５８には、下端から上方に延びるスリット７４が形成されている（図２も参照されたい）。スリット７４は、囲繞壁５８の下側部分を略矩形に切り欠いて形成される。スリット７４が形成された周方向位置における囲繞壁５８の残留部７６の外径は、その上端部位を除いて、スリット７４が形成されていない周方向位置における囲繞壁５８の外径よりも低減せしめられている（図７も参照されたい）。残留部７６の反時計方向下流端部には、その上端部位を除いて、更に薄肉にせしめられた破断可能連接片７８が形成されている。図２及び図５を参照して説明を続けると、反時計方向においてスリット７４の下流側には、囲繞壁５８に下端から上方に延びる補助スリット８０が形成されており、反時計方向に見てスリット７４と補助スリット８０との間には摘み部８２が規定されている（摘み部８２には破断可能接続片６８及びリブ７２は形成されていない）。所望ならば、囲繞壁５８の上端は破断可能接続片６８又は破断可能薄肉接続壁７０のいずれかを介して側壁４２に接続されていてもよい。また、残留部７６は軸線方向に見て囲繞壁５８の上端部に位置することに替えて囲繞壁５８の下端部又は中間部に形成されていてもよく、残留部７６が軸線方向に見て囲繞壁５８の下端部又は中間部に形成された場合には、残留部７６と反時計方向においてスリット７４の下流側における囲繞壁５８の反時計方向における上流縁とを接続する破断可能連接片７８も軸線方向に見て囲繞壁５８の下端部又は中間部に位置することとなる。
【００２０】
主に図５及び図６を参照して説明すると、移行領域６２及び側壁分離領域６４においては、側壁４２の上端部において周方向に連続して延在する破断可能連接ライン８４が設けられている。破断可能連接ライン８４は、側壁４２における、軸線方向に見て被係合片５６と囲繞壁５８の上端との間の部位の外径を局部的に減少させることによって規定される（図７乃至図９と図１０乃至図１２とを比較参照されたい）。
【００２１】
主に図５、図６及び図１４を参照して説明すると、移行領域６２においては更に、少なくとも一部は下方に向かって反時計方向に傾斜して延びる破断可能ライン８６が側壁４２に形成されていると共に、破断可能ライン８６よりも反時計方向下流側においては側壁４２と囲繞壁５８とが堅固に接続されている。移行領域６２には、側壁４２の内径を局部的に増大することによって規定され且つ下方に向かって反時計方向に傾斜して延びる薄肉部８８が側壁４２に形成されている（図１０及び図１１も参照されたい）。図１４を参照することによって明確に理解されるとおり、薄肉部８８は略平行四辺形状であって、反時計方向上流端の上端は側壁４２の上端と整合していると共に、反時計方向下流端の下端は側壁４２の下端と整合している。これにより、側壁４２と囲繞壁５８とが堅固に接続されている領域９０は薄肉部８８の一部を含み、破断可能ライン８６は薄肉部８８における側壁４２と囲繞壁５８とが接続されていない部分（図１４において薄墨で示す部分）によって規定されることとなる。
【００２２】
図１４を参照して上記領域９０について更に詳述すると、領域９０は、移行領域６２において、その反時計方向上流端よりも僅かに下流側の位置における側壁４２の上端から薄肉部８８の軸方向略中間位置まで下方に向かって鉛直に延びる第一の直線縁９０ａと、この第一の直線縁９０ａの下端に続いて下方に向かって反時計方向に傾斜して薄肉部８８と平行に延びる傾斜側縁９０ｂとを備えている。領域９０は更に、側壁分離領域６４の反時計方向上流端部において、傾斜側縁９０ｂの反時計方向下流端に続いて下方に凸になるよう屈曲せしめられ且つその変曲点が側壁４２の下端と整合するＵ字縁９０ｃと、このＵ字縁９０ｃの反時計方向下流側に位置する上端に続いて軸方向に見て係止手段５２の上端位置まで上方に向かって鉛直に延びる第二の直線縁９０ｄとを備えている。側壁４２の上記領域９０は側壁４２の薄肉部８８よりも剛性が高く、これにより移行領域６２において薄肉部８８は領域９０の周縁に沿って破断容易となる。然るに、破断可能ライン８６は薄肉部８８において第一の直線縁９０ａに沿って側壁４２の上端から下方に鉛直に延びる上端部８６ａと、この上端部８６ａに続き傾斜縁９０ｂに沿って側壁４２の下端まで反時計方向に向かって下方に傾斜して延びる傾斜主部８６ｂとから構成される。傾斜主部８６ｂは鉛直に対して１０乃至８０度の傾斜角度を有するのが好ましく、図示の実施形態においては４５度の傾斜角度を有している。所望ならば、薄肉部８８を、上記領域９０の一部を含む平行四辺形状とすることに代えて、上記領域９０を含むことなくその第一の直線縁９０ａ及び傾斜縁９０ｂ並びにＵ字縁９０ｃの外周に沿うような形状にしてもよいが、薄肉部をこのような形状にした場合には、薄肉部を形成する成形型の形状が複雑になり、これに起因して製造工程が煩雑になり製造コストが増大する虞がある。
【００２３】
非分離領域６６においては、側壁４２と囲繞壁５８とは堅固に接続されており、側壁４２には破断可能連接ライン８４は形成されていない（図１２と図１３とを比較参照されたい）。被係合片５６ａにおける、側壁４２の外周面から半径方向外方に鋭く直線状に切り立って延びる面は、非分離領域６６の反時計方向上流端位置と整合している。
【００２４】
図１と共に図１５及び図１６を参照して説明を続けると、外蓋６は円形天面壁９２と、この天面壁９２の外周縁から下方に垂下する円筒形スカート壁９４とを備えている。天面壁９２の内面には、その外周縁部において下方に垂下する円筒形垂下壁９６、及び中央部から下方に垂下する円筒形係止壁９８が形成されている。天面壁９２の内面には、半径方向に見て垂下壁９６と係止壁９８との間において下方に垂下する筒状液留め片１００、及び半径方向に見て液留め片１００と係止壁９８との間において下方に垂下する筒状補助シール片１０２も形成されている。垂下壁９６の内周面の下端部には雌螺条１０４が配設されている。垂下壁９６の内周面の上端部には、周方向に等角度間隔をおいて複数個の突出片１０６が形成されている。突出片１０６の各々の下端には、半径方向内方に向かって下方に傾斜した環状肩面１０８が形成されている。係止壁９８の内周面の下端部には、周方向に間隔をおいて複数個、図示の実施形態においては６個、のラチェット部１１０が配設されていると共に、ラチェット部１１０よりも上方に位置する係止突条１１２が配設されている。ラチェット部１１０の、図１６における時計方向側面は係止壁９８の内周面から半径方向内方に向かって鋭く切り立ち、図１６における反時計方向側面は係止壁９８の内周面から半径方向内方に向かって緩やかに延びている。係止壁９８の内周面の上部には、周方向に間隔をおいて複数個、図示の実施形態においては周方向に等角度間隔をおいて８個、のリブ１１３が配設されている。
【００２５】
スカート壁９４の下端部には周方向に延びる破断可能ライン１１４が形成されており、スカート壁９４は破断可能ライン１１４よりも上方の主部９４ａと破断可能ライン１１４よりも下方のタンパーエビデント裾部９４ｂとに区画される。軸線方向に見て、破断可能ライン１１４は、垂下壁９６の下端と同一或いはこれよりも下方に位置するのが好ましい。スカート壁９４における主部９４ａの外周面には掛けられる指の滑りを防止するためのナール（凹凸形状）１１６が形成されている。タンパーエビデント裾部９４ｂの内周面の上端部には、係止片１１８と、この係止片１１８よりも軸線方向下方に位置する係合片１２０とが配設されている。係止片１１８は、断面が半径方向内方に突出すると共に周方向に連続して延在する突条である。係合片１２０は、ラチェット部１１０と同様のラチェット片であり、周方向に等角度間隔をおいて多数配設されている。
【００２６】
図１を参照して説明を続けると、上述したとおりの中栓４と外蓋６とは、中栓４に外蓋６を被嵌した状態で中栓４に対して外蓋６を上方から見て時計方向に回転し、中栓４の雄螺条３６に外蓋６の雌螺条１０４を螺合せしめることによって相互に組み合わされる。この際には、上述したとおり中栓４の第一の回転阻止片４０及び第二の回転阻止片４８に所定の治具を作用させて、外蓋６に対する中栓４の回転を規制した状態で行われる。外蓋６が中栓４に螺着される際には、外蓋６の天面壁９２が中栓４の閉塞壁８を覆うと共に、係止壁９８に配設されているラチェット部１１０が被係止壁１６に配設されているラチェット爪１８を乗り越え、係止壁９８に配設されている係止突条１１２が被係止壁１６に配設されている被係止突条２０を乗り越える。同様に、スカート壁９４に配設されている係合片１２０も側壁４２に配設されている被係合片５６を乗り越え、スカート壁９４に配設されている係止片１１８も側壁４２に配設されている被係止片５４を乗り越える（図３及び図１５を参照されたい）。外蓋６が中栓４に螺着された状態においては、係止壁９８に配設されている係止突条１１２は被係止壁１６に配設されている被係止突条２０に対して間隔をおいて下方に位置すると共に、補助被係止突条２８よりも上方に位置する。外蓋６は、その垂下壁９６に形成された肩面１０８が中栓４の装着壁３４の上面に当接するまで中栓４に対して回転せしめられ、かくして外蓋６は中栓４に装着される。外蓋６が中栓４に装着された状態にあっては、外蓋６の補助シール片１０２の外周面が中栓４の注出壁３２の上端部の内周面に密着する。
【００２７】
上記のとおりに組み合わされた容器蓋２は、図１において二点鎖線で示す容器の口頸部１２２に対して図１に示す状態まで強制的に下降せしめることによって容器の口頸部１２２に装着される。かくすると、中栓４における側壁４２の内周面に形成されている係止手段５２が口頸部１２２の外周面に形成されている係止あご部１２４を弾性的に乗り越えてこれに係止せしめられ、中栓４が口頸部１２２に固着される。また、中栓４のシール壁４４が口頸部１２２内に進入せしめられ、これによって口頸部１２２が密封される。
【００２８】
容器の内容物を消費する際には、外蓋６のスカート壁９４に指を掛けて、中栓４に装着されている外蓋６を上方から見て反時計方向に回転する。中栓４に対して外蓋６を上記方向に回転すると、外蓋６の垂下壁９６に形成されている雌螺条１０４と中栓４に形成されている雄螺条３６との螺合が解除されて中栓４に対して外蓋６が上昇せしめられる。このとき、外蓋６を開回転方向に回転すると、最初に、係止壁９８に配設されたラチェット部１１０が被係止壁１６に配設されたラチェット爪１８に係止して破断可能薄肉ライン１０に応力が生成されて破断可能薄肉ライン１０が破断されて除去領域１２が閉塞壁８のその他の部分から分離され、しかる後に、係止壁９８に配設されている係止突条１１２が被係止壁１６に配設されている被係止突条２０に係止しこれによって除去領域１２が外蓋６と共に上昇されるようになる。本発明の容器蓋においては、中栓４に外蓋６を螺着した状態において被係止壁１６に配設されている被係止突条２０が係止壁９８に配設されている係止突条１１２に対して間隔をおいて上方に位置することに起因して、ラチェット部１１０がラチェット爪１８に係止する際には、係止突条１１２は被係止突条２０よりも下方に位置するとともに、係止突条１１２が被係止突条２０に作用する際には、除去領域１２は閉塞壁８のその他の部分から既に分離されていて自由に上昇することができ、かくして外蓋６を中栓４から離脱する際に、係止壁９８に形成されている係止突条１１２が偶発的に被係止突条２０を乗り越えてその上方に移動し、これによって閉塞壁８のその他の部分から分離された除去領域１２が外蓋６と共に離脱されることなく中栓４上に残留してしまうことが充分確実に防止される。それ故に、例えば、口頸部を開封する際に、外蓋６を一旦閉方向に回転してラチェット部１１０がラチェット爪１８を乗り上げ係止壁９８又は被係止壁１６が傾動した状態で開方向へ回転せしめても、上記傾動が解消されるより先に係止突条１１２が被係止突条２０を乗り越えてその上方に移動することはない。破断可能薄肉ライン１０が破断された後、外蓋６を中栓４に対して上記方向に更に回転せしめると、除去領域１２が閉塞壁８のその他の部分から分離され外蓋６と共に除去領域１２が中栓４に対して上昇し、閉塞壁８に排出開口が形成される。除去領域１２が閉塞壁８のその他の部分から除去される際にはシール片３８は弾性的に撓んで上記その他の部分より上方に移動する。
【００２９】
図１と共に図３及び図１５を参照して説明すると、中栓４に対して外蓋６を上記方向に回転させ、中栓４に対して外蓋６が上昇せしめられる際には更に、外蓋６のスカート壁９４に配設されている係合片１２０が中栓４の側壁４２に配設されている被係合片５６に係合して中栓４に対する外蓋６の回転が規制されると共に、外蓋６のスカート壁９４に配設されている係止片１１８が中栓４の側壁４２に配設されている被係止片５４に係止して中栓４に対する外蓋６の上昇が規制される。従って、外蓋６を更に中栓４に対して上記方向に回転せしめると、上述した、係止壁９８に配設されたラチェット部１１０と被係止壁１６に配設されたラチェット爪１８との周方向における係止、及び係止壁９８に配設されている係止突条１１２と被係止壁１６に配設されている被係止突条２０との軸方向における係止と同様、破断可能ライン１１４が破断され、タンパーエビデント裾部９４ｂを残して主部９４ａは回転と共に上方に移動して中栓４から離脱される。これにより中栓４の閉塞壁８に生成された排出開口が露呈され、かかる排出開口を通して内容物を排出することができる。
【００３０】
内容物の必要量の排出が終了した後においては、外蓋６を中栓４に被嵌し、次いで上方から見て時計方向に回転して外蓋６の垂下壁９６の内周面に形成されている雌螺条１０４を中栓４の装着壁３４の外周面に形成されている雄螺条３６に螺合せしめて中栓４に対して外蓋６を降下させる。中栓４に対する外蓋６は、突出片１０６の片面１０８が装着壁３４の上面と当接することによって停止され、かくして中栓４から離脱された外蓋６は中栓４に再螺着される。中栓４に外蓋６が再螺着される際について、図１７を参照して説明すると、シール片３８が閉塞壁８の上記その他の部分の上面に当接することで除去領域１２の下方への移動が阻止されると共に、閉塞壁８に生成された排出開口が閉じられる。これにより、外蓋６に対して除去領域１２が上方に変位されて、外蓋６の係止壁９８に配設されている係止突条１１２が中栓４の被係止壁１６に配設されている補助被係止突条２８を弾性的に乗り越えてこれの下方に係止する。この際には、外蓋６を螺着した状態において、被係止壁１６に配設されている被係止突条２０は係止壁９８に配設されている係止突条１１２に対して間隔をおいて上方に位置していたことに起因して、被係止突条２０と補助被係止突条２８との間には十分な間隔が設けられており、これによって除去領域１２が傾動することなく係止突条１１２が補助被係止突条２８を安定して乗り越えることが可能となる。従って、係止壁９８の係止突条１１２よりも上方において、被係止壁１６の上下方向に間隔をおいて配設されている２個の突条、即ち被係止突条２０と補助被係止突条２８が係止壁９８に対向して位置することとなり、これによって除去領域１２の傾動が防止される。図示の実施形態においては更に、係止壁９８に配設されている係止突条１１２が被係止壁１６に配設されている補助被係止突条２８の下方に係止すると、被係止壁９８の外周面の上部がリブ１１３に当接乃至近接されると共に、被係止壁９８に配設されている被係止突条２０がリブ１１３の下端面に当接されている。これにより、除去領域１２の傾動がより一層防止される。
【００３１】
容器の内容物を消費し尽くした後においては、所謂廃棄物の分別回収のために容器の口頸部１２２から容器蓋２の全体を離脱する。この際には、予め中栓４から外蓋６の主部９４ａを離脱せしめた状態で（所望ならば適宜の手段によってタンパーエビデント裾部９４ｂも中栓４から離脱せしめておいてもよい）、囲繞壁分離領域６０の反時計方向上流端部において囲繞壁５８に規定された摘み部８２を把持してこれを上方又は半径方向外方に強制し、かくして破断可能連接片７８を破断せしめる。次いで、摘み部８２を半径方向外方且つ反時計方向に向けて強制せしめる。この際には、囲繞壁分離領域６０においては、囲繞壁５８と側壁４２とを接続する破断可能接続片６８及び破断可能薄肉接続壁７０を破断して、囲繞壁５８は側壁４２から離隔せしめられて半径方向外方に移動される。移行領域６２においては、破断可能連接ライン８４を破断すると共に、側壁４２に形成された少なくとも一部が下方に向かって反時計方向に傾斜して延びる破断可能ライン８６を破断する。破断可能ライン８６の破断について図１４を参照して更に詳述すると、移行領域６２においては、最初に、薄肉部８８の反時計方向上流端において半径方向外方への応力が加えられる。そうすると、薄肉部８８の反時計方向上流端部に側壁４２と囲繞壁５８とが堅固に接続されている上記領域９０の第一の直線縁９０ａが位置するため、反時計方向に見て第一の直線縁９０ａと薄肉部８８の反時計方向上流縁との間の部分（即ち破断可能ライン８６の上端部８６ａ）に応力が集中し、かかる部分が破断する。次いで、領域９０の傾斜縁９０ｂに沿って薄肉部８８が破断（即ち破断可能ライン８６の傾斜主部８６ｂが破断）する。この際には、剛性の比較的高い領域９０が剛性の比較的低い薄肉部８８の一部を含んでいるため、領域９０と薄肉部８８との間に剪断力が良好に加えられ、破断可能ライン８６の傾斜主部８６ｂの破断が円滑に遂行せしめられる。かくして、側壁４２は上下方向において破断せしめられる。そして、破断可能ライン８６よりも反時計方向下流側においては側壁４２と囲繞壁５８とが堅固に接続されている故に、囲繞壁５８と共に側壁４２は半径方向外方に移動される。次いで、側壁分離領域６４においては、移行領域６２から連続して破断可能連接ライン８４を破断して、囲繞壁５８と共に側壁４２が半径方向外方に移動され、容器の口頸部１２２に形成された係止あご部１２４への中栓４に形成された係止手段５２の係止が漸次解除される。破断可能連接ライン８４の破断は非分離領域６６に到達することで停止する。破断可能連接ライン８４の破断が完了した後においては、係止手段５２による容器の口頸部１２２への係止が充分弱められている故、非分離領域６６における囲繞壁５８を軸にその他の領域における囲繞壁５８を上方に強制することによって中栓４の全体を容器の口頸部１２２から充分容易に離脱することができる。
【００３２】
以上本発明の容器蓋について添付図面を参照して詳述したが、本発明はかかる実施形態に限定されるものではなく、本発明の範囲を逸脱することなく種々の変形乃至修正が可能である。例えば、本実施形態においては、外蓋は中栓に離脱自在に螺着されていたが、これに替えて、外蓋は容器の口頸部に離脱自在に螺着されていてもよい。また、本実施形態においては、中栓のラチェット爪及び被係止突条は被係止壁の外周面に配設されると共に外蓋のラチェット爪及び係止突条は係止壁の内周面に配設されていたが、これに替えて、中栓のラチェット爪及び被係止突条を被係止壁の内周面に配設すると共に外蓋のラチェット爪及び係止突条を係止壁の外周面に配設するようにしてもよい。中栓のラチェット爪及び被係止突条を被係止壁の内周面に配設すると共に外蓋のラチェット爪及び係止突条を係止壁の外周面に配設した場合には、リブは係止壁の外周面に配設され、係止壁に配設されている係止突条が被係止壁に配設されている補助被係止突条の下方に係止すると、被係止壁の内周面の上端部がリブに当接乃至近接される。
【符号の説明】
【００３３】
２：容器蓋
４：中栓
６：外蓋
８：閉塞壁
１０：破断可能薄肉ライン
１２：除去領域
１６：被係止壁
１８：ラチェット爪
２０：被係止突条
２８：補助被係止突条
３８：シール片
９２：天面壁
９８：係止壁
１１０：ラチェット部
１１２：係止突条
１１３：リブ
【図１】
2019051959.tif 000003
【図２】
2019051959.tif 000004
【図３】
2019051959.tif 000005
【図４】
2019051959.tif 000006
【図５】
2019051959.tif 000007
【図６】
2019051959.tif 000008
【図７】
2019051959.tif 000009
【図８】
2019051959.tif 000010
【図９】
2019051959.tif 000011
【図１０】
2019051959.tif 000012
【図１１】
2019051959.tif 000013
【図１２】
2019051959.tif 000014
【図１３】
2019051959.tif 000015
【図１４】
2019051959.tif 000016
【図１５】
2019051959.tif 000017
【図１６】
2019051959.tif 000018
【図１７】
2019051959.tif 000019